(57)【要約】【課題】テレビの視聴者に対して企業又は商品に対するイメージを視覚的に容易に興味付けでき且つイメージアップや販売促進に繋がるようなコマーシャル映像を作成して提供することができるコマーシャル映像の作成方法及び提供方法を提供する。【解決手段】企業及び商品のイメージを向上させる宣伝目的で構成されるコマーシャル映像を視聴者に対して提供するコマーシャル映像の提供方法であって、撮影したコマーシャル映像の実写版フィルム及びその実写版フィルムに基づいて一部を消し込み加工することで透明に隠蔽した透明化フィルムを作成するフィルム作成工程と、一部が消し込み加工された透明化コマーシャル映像を放映する透明化フィルム放映工程と、透明化フィルムが放映されて一定期間が経過した後に実写版コマーシャル映像を放映する実写版フィルム放映工程とからなる。【選択図】図５
2007243835.tif 000002
【特許請求の範囲】
【請求項１】
宣伝目的で構成されるコマーシャル映像を視聴者に対して提供する際のコマーシャル映像を作成するコマーシャル映像の作成方法であって、
撮影したコマーシャル映像から実写版コマーシャル映像を作成する実写版コマーシャル映像作成工程と、当該実写版コマーシャル映像に基づいて映像中の一部を特定し、その一部として特定された部分を消し込み加工することで透明化コマーシャル映像を作成する透明化コマーシャル映像作成工程とからなるコマーシャル映像の作成方法。
【請求項２】
前記実写版コマーシャル映像と前記透明化コマーシャル映像とを組み合わせて、宣伝目的を達成するための１つのコマーシャル映像として完結させるようにすることを特徴とする請求項１に記載のコマーシャル映像の作成方法。
【請求項３】
前記１つのコマーシャル映像は、前記実写版コマーシャル映像と前記透明化コマーシャル映像とが異なる媒体で異なる時間帯に放映されることで完結することを特徴とする請求項２に記載のコマーシャル映像の作成方法。
【請求項４】
企業及び商品のイメージを向上させる宣伝目的で構成されるコマーシャル映像を視聴者に対して提供する際のコマーシャル映像の提供方法であって、
撮影したコマーシャル映像の実写版フィルム及び当該実写版フィルムに基づいてその一部を消し込み加工することで透明に隠蔽した透明化フィルムを作成するフィルム作成工程と、
一部が消し込み加工された前記透明化コマーシャル映像を放映する透明化フィルム放映工程と、
前記透明化フィルムが放映されて一定期間が経過した後に実写版コマーシャル映像を放映する実写版フィルム放映工程とからなることを特徴とするコマーシャル映像の提供方法。
【請求項５】
前記透明化フィルム内の隠蔽された透明部分は、コマーシャル映像に登場する人間又は商品を対象とするものであることを特徴とする請求項４に記載のコマーシャル映像の提供方法。
【請求項６】
前記実写版コマーシャル映像は、少なくとも、ウェブ上又はテレビ上の何れかで放映されることを特徴とする請求項４又は５に記載のコマーシャル映像の提供方法。
【請求項７】
前記実写版フィルム放映工程で放映される実写版コマーシャル映像は、前記透明化フィルムの隠蔽した部分を含み構成される正解コマーシャル映像であることを特徴とする請求項４〜６の何れかに記載のコマーシャル映像の提供方法。
【請求項８】
前記透明化コマーシャル映像は、クイズ形式からなる映像で終了することで、その解答映像が放映されることを特徴とする請求項４〜７の何れかに記載のコマーシャル映像の提供方法。
【請求項９】
前記透明化コマーシャル映像には、視聴者に対して質問するための問いかけ表現及び視聴者を所定の媒体に誘導するための誘導表現が含まれていることを特徴とする請求項４〜８の何れかに記載のコマーシャル映像の提供方法。
【発明の詳細な説明】
【技術分野】
【０００１】
本発明は、企業や商品のイメージを向上させる宣伝目的で構成されるコマーシャル映像を作成して視聴者に対して提供する際のコマーシャル映像の作成方法及び提供方法に関する。
【背景技術】
【０００２】
従来から、企業や団体などの宣伝目的で放映されるコマーシャル映像には、例えば、企業のイメージアップや商品の販売を促進するために様々な工夫や手法が用いられている。例えば、テレビジョン放送とインターネットによる画像送信とを連動させた手法が採用されている（例えば、特許文献１及び特許文献２参照）。すなわち、このような手法は、テレビとインターネット情報とを同時に表示させるようにすることで、提供できる情報量を増やしたり、テレビにリアルタイムで表示されているコマーシャル製品に対する視聴者のリクエストをインターネットのサイトに送信することで、その対象物の詳細情報をテレビに表示させて注文等を受け付けたりするようなテレビとインターネットの技術を融合させた手法である。
【０００３】
しかしながら、上述のような手法では、技術面における合理性は高いが、融合する際の技術やシステムが複雑になり且つコマーシャル映像が視聴者に与えるインパクト性に欠ける要因ともなるため、宣伝目的として活用するにはコスト面や話題性という観点からは容易に効果が得られ難いという欠点があった。
【０００４】
【特許文献１】特開２００２−１１２２２９号公報
【特許文献２】特開２００３−０８５３９１号公報
【発明の開示】
【発明が解決しようとする課題】
【０００５】
本発明はこのような事情に鑑み、テレビの視聴者に対して企業又は商品に対するイメージを視覚的に容易に興味付けでき且つイメージアップや販売促進に繋がるようなコマーシャル映像を作成して提供することができるコマーシャル映像の作成方法及び提供方法を提供することを課題とする。
【課題を解決するための手段】
【０００６】
上記課題を解決する本発明の第１の態様は、宣伝目的で構成されるコマーシャル映像を視聴者に対して提供する際のコマーシャル映像を作成するコマーシャル映像の作成方法であって、撮影したコマーシャル映像から実写版コマーシャル映像を作成する実写版コマーシャル映像作成工程と、当該実写版コマーシャル映像に基づいて映像中の一部を特定し、その一部として特定された部分を消し込み加工することで透明化コマーシャル映像を作成する透明化コマーシャル映像作成工程とからなるコマーシャル映像の作成方法にある。
【０００７】
かかる第１の態様では、撮影したコマーシャル映像から実写版コマーシャル映像が作成されて、その実写版コマーシャル映像に基づいて映像中の一部を特定し、その一部として特定された部分を消し込み加工することで透明化コマーシャル映像が作成される。これにより、テレビの視聴者に対して企業又は商品に対するイメージを視覚的に容易に興味付けでき且つイメージアップや販売促進に繋がるようなコマーシャル映像を作成することが可能となる。
【０００８】
本発明の第２の態様は、前記実写版コマーシャル映像と前記透明化コマーシャル映像とを組み合わせて、宣伝目的を達成するための１つのコマーシャル映像として完結させるようにすることを特徴とする第１の態様に記載のコマーシャル映像の作成方法にある。
【０００９】
かかる第２の態様では、実写版コマーシャル映像と透明化コマーシャル映像とが組み合わされて、宣伝目的を達成するための１つのコマーシャル映像が完結される。これにより、視聴者に対して、より興味付けできるコマーシャル映像を作成することが可能となる。
【００１０】
本発明の第３の態様は、前記１つのコマーシャル映像は、前記実写版コマーシャル映像と前記透明化コマーシャル映像とが異なる媒体で異なる時間帯に放映されることで完結することを特徴とする第２の態様に記載のコマーシャル映像の作成方法にある。
【００１１】
かかる第３の態様では、１つのコマーシャル映像が、実写版コマーシャル映像と透明化コマーシャル映像とを異なる媒体で異なる時間帯に放映することで完結される。これにより、企業又は商品に対するイメージを視覚的に幅広くアピールすることができると共に、イメージアップや販売促進に繋がるようなコマーシャル映像を作成することができる。
【００１２】
本発明の第４の態様は、企業及び商品のイメージを向上させる宣伝目的で構成されるコマーシャル映像を視聴者に対して提供する際のコマーシャル映像の提供方法であって、撮影したコマーシャル映像の実写版フィルム及び当該実写版フィルムに基づいてその一部を消し込み加工することで透明に隠蔽した透明化フィルムを作成するフィルム作成工程と、一部が消し込み加工された前記透明化コマーシャル映像を放映する透明化フィルム放映工程と、前記透明化フィルムが放映されて一定期間が経過した後に実写版コマーシャル映像を放映する実写版フィルム放映工程とからなることを特徴とするコマーシャル映像の提供方法にある。
【００１３】
かかる第４の態様では、撮影したコマーシャル映像の実写版フィルム及びその実写版フィルムに基づいて一部が消し込み加工されることで透明に隠蔽した透明化フィルムが作成され、一部が消し込み加工された透明化コマーシャル映像が放映されて、一定期間が経過した後に実写版フィルムが放映される。これにより、テレビの視聴者に対して企業又は商品に対するイメージを視覚的に容易な状態で興味付けでき且つイメージアップや販売促進に繋がるようなコマーシャル映像を提供することが可能となる。
【００１４】
本発明の第５の態様は、前記透明化フィルム内の隠蔽された透明部分は、コマーシャル映像に登場する人間又は商品を対象とするものであることを特徴とする第４の態様に記載のコマーシャル映像の提供方法にある。
【００１５】
かかる第５の態様では、透明化フィルム内の隠蔽された透明部分が、コマーシャル映像に登場する人間又は商品を対象とするものとなる。これにより、テレビの視聴者に対して企業又は商品に対するイメージについて視覚的にインパクトを与えて容易に興味付けすることが可能となる。
【００１６】
本発明の第６の態様は、前記実写版コマーシャル映像は、少なくとも、ウェブ上又はテレビ上の何れかで放映されることを特徴とする第４又は５の態様に記載のコマーシャル映像の提供方法にある。
【００１７】
かかる第６の態様では、実写版コマーシャル映像は、少なくとも、ウェブ上又はテレビ上の何れかで放映される。これにより、一般に普及している宣伝媒体を用いてより容易にテレビの視聴者に対して企業又は商品に対するイメージアップや販売促進に繋がるようなコマーシャル映像を提供することが可能となる。
【００１８】
本発明の第７の態様は、前記実写版フィルム放映工程で放映される実写版コマーシャル映像は、前記透明化フィルムの隠蔽した部分を含み構成される正解コマーシャル映像であることを特徴とする第４〜６の何れかの態様に記載のコマーシャル映像の提供方法にある。
【００１９】
かかる第７の態様では、放映される実写版コマーシャル映像が、透明化フィルムの隠蔽した部分を含み構成される正解コマーシャル映像となる。これにより、より容易にテレビの視聴者に対して企業又は商品に対するイメージアップや販売促進に繋がるようなコマーシャル映像を提供することが可能となる。
【００２０】
本発明の第８の態様は、前記透明化コマーシャル映像は、クイズ形式からなる映像で終了することで、その解答映像が放映されることを特徴とする第４〜７の何れかの態様に記載のコマーシャル映像の提供方法にある。
【００２１】
かかる第８の態様では、透明化コマーシャル映像がクイズ形式からなる映像で終了することで、その解答映像が放映される。これにより、話題性を考慮して、より容易にテレビの視聴者に対して企業又は商品に対するイメージを視覚的に興味付けできるコマーシャル映像を提供することが可能となる。
【００２２】
本発明の第９の態様は、前記透明化コマーシャル映像には、視聴者に対して質問するための問いかけ表現及び視聴者を所定の媒体に誘導するための誘導表現が含まれていることを特徴とする第４〜８の何れかの態様に記載のコマーシャル映像の提供方法にある。
【００２３】
かかる第９の態様では、透明化コマーシャル映像に、視聴者に対して質問するための問いかけ表現及び視聴者を所定の媒体に誘導するための誘導表現が含まれる。これにより、より容易にテレビの視聴者に対して企業又は商品に対するイメージを視覚的に興味付けできると共に、特定の顧客層を捉えることができるコマーシャル映像を提供することが可能となる。
【発明の効果】
【００２４】
本発明によれば、不特定多数の視聴者に対して映像の一部分が透明で構成されるコマーシャル映像を作成すると共に放映して、そのコマーシャル映像をきかっけに顧客層を形成するための誘導がなされるように、少なくとも２段階に区分して各々のコマーシャル映像を提供しているため、テレビの視聴者に対して企業又は商品に対するイメージを視覚的に容易に興味付けし且つイメージアップや販売促進に繋がるようなコマーシャル映像を作成して提供することができるコマーシャル映像の作成方法及び提供方法を提供することが可能となる。
【発明を実施するための最良の形態】
【００２５】
以下、図面を用いて本発明を実施するための最良の形態について説明する。なお、本実施形態の説明は例示であり、本発明の構成は以下の説明に限定されない。
【００２６】
本実施形態は、テレビの視聴者に対して企業又は商品に対するイメージを視覚的に容易に興味付けできるようなコマーシャル映像を作成して提供するためのコマーシャル映像の作成方法及び提供方法を実現するものである。これにより、テレビとインターネットという概念を融合した技術を宣伝目的としてのコマーシャル映像に有効に活用させることが可能となる。
【００２７】
図１は、本発明の実施形態に係るコマーシャル映像を提供する際のシステム構成の概略を示す図である。
【００２８】
図示するように、本実施形態は、企業又はその企業が取り扱う商品に対するイメージをテレビ２、インターネット３、及び店頭４に設置されている宣伝媒体（例えば、テレビ又はウェブ）の何れかから一般の視聴者５に対して、各種コマーシャル映像として提供できるように構成されている。具体的に、ここで提供される各種コマーシャル映像としては、後述する透明化コマーシャル映像及び実写版コマーシャル映像となる。具体的には、テレビ２から視聴者５に対して透明化コマーシャル映像が提供された後、その透明化コマーシャル映像から取得した情報に基づいて視聴者５が何らかのアクションをすることで、テレビ２、インターネット３、及び店頭４の何れかの媒体を介して実写版コマーシャル映像が提供されるようになる。また、ここでいうアクションとは、例えば、一定期間が経過した後に、透明化コマーシャル映像で宣伝されている日時にテレビ２を視聴すること、透明化コマーシャル映像で宣伝されているＵＲＬ（Uniform Resource Locator）に従ってインターネット３を介して該当するウェブにアクセスすること、及び透明化コマーシャル映像で宣伝されている店頭４に足を運ぶことなどが考えられる。すなわち、実写版コマーシャル映像は、少なくとも、ウェブ上又はテレビ上の何れかで放映されることになる。
【００２９】
上述のように、本実施形態における宣伝目的を達成するための１つのコマーシャル映像は、実写版コマーシャル映像と透明化コマーシャル映像とを組み合わせることで１つのものとして完結された状態となる。この場合、１つのコマーシャル映像は、前記実写版コマーシャル映像と前記透明化コマーシャル映像とが異なる媒体で異なる時間帯に放映されることで完結する。
【００３０】
ここで、作成される透明化コマーシャル映像及び実写版コマーシャル映像の具体例について説明する。図２は、本発明の実施形態に係る透明化コマーシャル映像及び実写版コマーシャル映像の画面構成例を示す図である。
【００３１】
図２（ａ）には透明化コマーシャル映像の一例が示されており、図２（ｂ）には実写版コマーシャル映像の一例が示されている。
【００３２】
図２（ａ）に示す例では、２人の人間が透明人間として透明化フィルムに構成されることで、透明化コマーシャル映像が構成されている。ここで登場する２人の人間は、放映中は、音声のみの映像で構成される。そして、その他の商品や身に付けるアイテムが実在するように構成されている。また、このように登場する２人の人間は、例えば、お笑いコンビや歌手など、話題性を集めるための企業戦略などに応じて設定するようにすればよい。これにより、例えば、お笑いコンビのコントや歌手のデュエットなど、起用する人間の特色を織り交ぜた映像を作成して提供することも可能となる。また、例えば、他のお笑いコンビとシャッフルした場合の組み合わせ、企業や商品をアピールするためのコントや歌、或いは宣伝のために考案された独自のコントや歌などを披露するような映像を作成して提供することも可能となる。
【００３３】
一方、図２（ｂ）に示す例では、透明化フィルムに構成された透明人間が実際に人間として存在している状態が実写版フィルムとなり、実写版コマーシャル映像が構成されている。ここで登場する２人の人間は、実写版コマーシャル映像では、企業の新商品の食材を２人の人間がふざけあって食べているような構図となっている。このような映像により、企業や商品を宣伝する際に、視聴者５に対して興味付けをしてインパクトを与えることができる。
【００３４】
なお、図２に示す例では、透明化する対象を人間としているが、これに限定されず、例えば、人間以外の生き物などを用いるようにしてもよい。
【００３５】
ここで、クイズ形式からなるコマーシャル映像及び正解コマーシャル映像の具体例について説明する。図３は、本発明の実施形態に係るクイズ形式からなる映像及び正解コマーシャル映像の画面構成例を示す図である。
【００３６】
図３（ａ）にはクイズ形式からなるコマーシャル映像の一例が示されており、図３（ｂ）には正解コマーシャル映像の一例が示されている。なお、図３に示す例では、実写版コマーシャル映像をウェブで放映する場合を想定している。
【００３７】
図３（ａ）に示す例では、透明化コマーシャル映像を視聴した視聴者５をその企業が運営するウェブサイトに誘導するように、視聴者５に対して質問するための問いかけ表現及び視聴者５を所定の媒体（図３に示す例では、ウェブ）に誘導するための誘導表現を含んだ映像を構成している。具体的には、視聴者５に対する問いかけ表現として“この透明コンビは誰！？”という表現が用いられ、誘導表現として“答えはＷｅｂ（ウェブ）で！”という表現が用いられると共に、誘導先を示すＵＲＬが表示されることでクイズ形式からなる映像が構成されている。このような映像を作成することにより、視聴者５に興味付けをして次の宣伝媒体に誘導するようにすることができる。
【００３８】
一方、図３（ｂ）に示す例では、クイズ形式からなる映像に対する正解を示す正解コマーシャル映像が示されている。具体的には、商品を宣伝する際に、問いかけ表現の正解としてお笑いコンビの正体を明かした上で、その商品をアピールするように構成されている。このような映像を作成することにより、視聴者５はお笑いコンビの正体を知る楽しみを味わいながら、商品に対する興味を抱くことが可能となる。
【００３９】
図３に示すように、透明化コマーシャル映像は、クイズ形式からなる映像で終了することで、その解答映像として正解コマーシャルが放映されるようになっている。
【００４０】
ここで、透明化コマーシャル映像と実写版コマーシャル映像とを一連の映像に基づき比較して説明する。図４は、本発明の実施形態に係る透明化コマーシャル映像と実写版コマーシャル映像の比較画面の一例を示す図である。
【００４１】
図４には、テレビ２で放映される透明化コマーシャル映像とインターネット３を介してウェブ上で放映される実写版コマーシャル映像の比較と共に、その際に流れる音声（ナレーション）の比較が示されている。
【００４２】
まず、テレビ２で放映される透明化コマーシャル映像としては、透明化コマーシャル映像に登場する２人の人間（図４に示す例では、お笑いコンビ）が透明人間として構成されており、宣伝したい商品（図４に示す例では、スイーツ）や透明人間を特定するためのヒントとなるアイテム（図４に示す例では、ネクタイやメガネ）は実際の映像として構成される。この場合の音声は、透明人間としてのお笑いコンビが宣伝対象となる商品について会話している状態として構成される。一方、インターネット３を介してウェブ上で放映される実写版コマーシャル映像としては、透明化コマーシャル映像に登場した透明人間が実在している状態で、透明化コマーシャル映像と同様の内容からなる音声で構成される。続いて、透明化コマーシャル映像と実写版コマーシャル映像の双方ともに、商品であるスイーツについての具体的な映像がクローズアップされて、音声としてそのスイーツに対するキャッチフレーズがナレーションされる。
【００４３】
続いて、お笑いコンビの１人が商品であるスイーツを食べている状態が、透明人間の場合と実在する場合とで構成される。この場合の音声は、透明化コマーシャル映像と実写版コマーシャル映像の双方ともに、２人がふざけあって楽しそうに食べている状況が伝わるような内容で構成される。続いて、透明化コマーシャル映像と実写版コマーシャル映像の双方ともに、商品の映像と共に、商品の紹介がナレーションされる。
【００４４】
続いて、テレビ２で放映される透明化コマーシャル映像としては、視聴者５に対する問いかけ表現及び誘導表現が誘導先のＵＲＬと共に映像として表示されるように構成される。この場合、映像と共に、問いかけ表現及び誘導表現がナレーションされる。これにより、視覚的のみならず、聴覚的にも視聴者５に対して興味付けすることができる。一方、インターネット３を介してウェブ上で放映される実写版コマーシャル映像としては、宣伝対象の商品と共に、透明人間としてのお笑いコンビが実在した状態で構成される。この場合の音声は、透明人間だったお笑いコンビが商品に対する誘導フレーズで宣伝を行うような内容となる。
【００４５】
上述のような一連の流れで、透明化コマーシャル映像及び実写版コマーシャル映像の双方の映像をそれぞれ提供することで、不特定多数の視聴者５を興味付けて、次の段階（正解コマーシャル映像）に引き込むことで、特定の顧客層を形成するようにすることが可能となる。
【００４６】
次に、コマーシャル映像の作成方法及び提供方法について説明する。図５は、本発明の実施形態に係るコマーシャル映像の提供方法を示すフローチャートである。なお、コマーシャル映像の提供方法は、大きく区分して、フィルム作成工程、透明化フィルム放映工程、及び実写版フィルム放映工程という３つの工程から構成されている。
【００４７】
図示するように、まず、企業の戦略や宣伝する商品のコンセプトなどに基づいて、コマーシャル映像が撮影される（Ｓ１）。ここで撮影されるコマーシャル映像がそのまま実写版コマーシャル映像となる。そして、撮影されたコマーシャル映像に基づいて、実写版フィルム及び透明化フィルムが作成される（Ｓ２）。すなわち、実写版フィルムとしては、ステップＳ１で撮影された映像をそのまま残した状態のフィルムが作成されると共に、透明化フィルムとしては、ステップＳ１で撮影された映像に対して、宣伝効果を奏するための宣伝対象又は興味付けの対象とする商品又は人間などを特定し、その特定された部分を部分的に消し込む加工を施すことで、コマーシャル映像として放映する際に視聴者５に対する興味付けの対象が映像内に移り込まない状態のフィルムが作成される。ここまでの処理がフィルム作成工程となる。すなわち、フィルム作成工程は、撮影したコマーシャル映像の実写版フィルム及びその実写版フィルムに基づいてその一部を消し込み加工することで透明に隠蔽した透明化フィルムを作成する工程となる。本実施形態では、透明化フィルム内の隠蔽された透明部分が、コマーシャル映像として登場する人間（本実施形態では、お笑いコンビ）となっている。
【００４８】
そして、テレビ２にて、まず、透明化コマーシャル映像が放映される（Ｓ３）。すなわち、最初にターゲットが透明化された映像を放映することで、視聴者５に対する興味付けを行うと共に、視聴者５に対する問いかけを行う映像で締めくくることで、視聴者５の意識を企業や商品に結びつけて関連する媒体に誘導することができる。ここまでの処理が透明化フィルム放映工程となる。すなわち、透明化フィルム放映工程は、一部が消し込み加工された透明化コマーシャル映像を放映する工程となる。
【００４９】
その後、一定期間が経過した場合（Ｓ４；Ｙｅｓ）には、テレビ２、インターネット３を介したウェブ、及び店頭４の何れかで実写版コマーシャル映像が放映される（Ｓ５）。ここで放映される実写版コマーシャル映像は、透明化フィルムの隠蔽した部分を含み構成される正解コマーシャル映像である。このようにして、透明化コマーシャル映像を放映することによって、視聴者５に何らかの興味を持たせて、実写版コマーシャル映像を視聴するきっかけを与えるようにする。ここまでの処理が実写版フィルム放映工程となる。すなわち、実写版フィルム放映工程は、透明化フィルムが放映されて一定期間が経過した後に実写版コマーシャル映像を放映する工程となる。
【００５０】
上述のような工程処理により、テレビ２のコマーシャル映像を作成して提供することで、透明化コマーシャル映像の作成及び提供をきっかけにして、視聴者５に対して、企業や商品に対するイメージアップの向上や興味付けを図ることができる。
【００５１】
（他の実施形態）
上述した実施形態では、透明化する対象、すなわち透明化フィルム内の隠蔽された透明部分を人間とした場合を例示しているが、これに限定されず、例えば、宣伝する商品を対象としてもよい。この場合、例えば、その商品を実際に視覚的に捉えたいという人間の心理を突くようなナレーションを付加するようにすることで、より視聴者５に対する興味付けを図ることも可能となる。
【００５２】
また、上述した実施形態では、問いかけ表現を構成する対象がお笑いコンビなどの人間の場合を例示しているが、これに限定されず、例えば、商品を問いかけ表現の対象としてもよい。この場合の問いかけ表現としては、例えば、“この商品は何！？”又は“この商品は何色！？”など商品の特徴やイメージを抱かせるような表現を挙げることができる。
【図面の簡単な説明】
【００５３】
【図１】本発明の実施形態に係るコマーシャル映像を提供する際のシステム構成の概略を示す図である。
【図２】本発明の実施形態に係る透明化コマーシャル映像及び実写版コマーシャル映像の画面構成例を示す図である。
【図３】本発明の実施形態に係るクイズ形式からなる映像及び正解コマーシャル映像の画面構成例を示す図である。
【図４】本発明の実施形態に係る透明化コマーシャル映像と実写版コマーシャル映像の比較画面の一例を示す図である。
【図５】本発明の実施形態に係るコマーシャル映像の提供方法を示すフローチャートである。
【符号の説明】
【００５４】
２  テレビ
３  インターネット
４  店頭
５  視聴者
【図１】
2007243835.tif 000003
【図２】
2007243835.tif 000004
【図３】
2007243835.tif 000005
【図４】
2007243835.tif 000006
【図５】
2007243835.tif 000007